(57)【要約】      （修正有）【課題】長時間付けていても苦しくなく簡単に締めたり緩めたり出来、効果がダイレクトに伝わる姿勢矯正ベルトを提供する。【解決手段】姿勢矯正ベルトは、本体身生地部分１、２を伸縮性のない素材で作り、前脇布５、後下中心生地６、肩部ベルト１０を伸縮性のある素材で作ることにより、伸び切ってしまうことを防ぎ、サブベルト部分３には伸びない素材と動滑車の原理を使うことにより半分の力で締め付けることが出来、ダイレクトに肩ベルト１０、胸ベルト９に力を伝え、締め付けることが可能で、簡単に緩めたり、締めたりでき、毎日の生活の中で苦しくなく長時間着用出来る。【選択図】図１
0003231097.tif 000002
【実用新案登録請求の範囲】
【請求項１】
長時間付けていても苦しくなく簡単に締めたり緩めたり出来、ゴムを使わないため効果がダイレクトに伝わる姿勢矯正ベルトを提案する。
このベルトは姿勢を矯正する縦の動きをベルトを締めやすい横の動きに変換し、ベルトの部分には伸びない素材と伸びる素材の伸び方向の使い分け、サブベルトには動滑車の原理を使うことにより半分の力で締め付けることが出来、毎日の生活の中で長時間着用でき耐久性も向上させる。
【考案の詳細な説明】
【考案の詳細な説明】
【技術分野】
【０００１】本考案は、美容や健康商品として姿勢矯正に寄与するベルトの応用に関するものである。
【在来の技術】
【０００２】現在、ほとんどの女性及び一部の男性も含めて、自分のスタイルには気を使い、スタイルや姿勢矯正にこだわってかなりのお金を使っている人がいるのが事実である。しかしながら在来の姿勢矯正ベルトはコストを重視するために海外製のものが多く、ゴムの伸縮を利用して締め付けるが、ゴムは引っ張ればいくらでも伸びるので、自分にあった締め付け具合に調整するのは非常に困難であった。
さらに他の部分に比べ、ゴムの部分の耐久性が低く、ゴム部分が劣化するためベルトが使えなくなるのが早いので耐久性にも問題があった。
【考案が解決しようとする課題】
【０００３】本考案は、今までは無かった新しい発想とデザインにより長時間付けていても苦しくなく簡単に締めたり緩めたり出来、ゴムを使わないため効果がダイレクトに伝わる姿勢矯正ベルトを提案する。
このベルトは姿勢を矯正する縦の動きを、ベルトを締めやすい横の動きに変換し、サブベルトの部分には伸びない素材と動滑車の原理を使うことにより半分の力で締め付けることが出来、毎日の生活の中で長時間着用でき耐久性も向上させる。
【課題を解決する為の手段】
【０００４】本考案は、［図１］［図２］▲１▼▲２▼の本体身生地部分と▲９▼の後脇布を伸縮性のない素材で作り、▲５▼の前脇布、▲６▼後身頃を横方向に伸縮性のある素材で作ることで着用しやすく、サブベルト部分▲３▼に［図４］動滑車の原理を採用することで、半分の力でサブベルト▲３▼の力をダイレクト▲１０▼肩ベルト、▲９▼胸ベルトに伝え締め付けることが出来、締め付け具合を簡単に調整できる姿勢矯正ベルト
【考案の効果】
【０００５】１  デザイン的にもすぐれ、生地の特性を利用して、生地▲７▼の伸び方向を縦、生地▲５▼の伸び方向を横にすることで着用感も良くなり、生地の伸び率を変更することで締め付け感も変えられる製品を供給できる。
２  動滑車の原理を取り入れることで高齢者や力のない人でも、半分の力で締め付けることが出来る。
３  ［図２］▲８▼の生地を腰のあるしっかりとした生地にすることで、着用時に▲１０▼の肩ベルトや［図２］▲９▼の胸ベルトが折れ曲がらず着用がスムーズにでき着脱の不便さが解消できる。
４  ［図２］▲５▼のベルトの交差部分の十字部分▲１４▼の高さを小さくすることで、引っ張りやすくでき、十字部分▲１４▼高さの調整によって身長によるサイズの変化を調整が可能になる。
５  デザインや加工方法が容易であるから、大量生産ができるメリットがある。
６  ゴムテープを使わないためにゴムテープに起る劣化を防ぎ製品のの耐久性が上がる。
【図面の簡単な説明】
【図１】本考案の姿勢矯正ベルト正面図
【図２】本考案の姿勢矯正ベルト背面図
【図３】本考案の姿勢矯正ベルトベルト図
【図４】本考案の姿勢矯正ベルト下面図
【符号の説明】▲１▼  右前身生地（面ファスナーオス側）
▲２▼  左前身生地
▲３▼  サブベルト
▲４▼  丸カン
▲５▼  前脇布
▲６▼  後身頃
▲７▼  後中心布
▲８▼  後上辺補強布
▲９▼  胸ベルト
▲１０▼  肩ベルト
▲１１▼  後脇布
▲１２▼  ベルト通し
▲１３▼  後ベルト隠し布
▲１４▼  サブベルト交差部分
【図１】
0003231097.tif 000003
【図２】
0003231097.tif 000004
0003231097.tif 000005
【手続補正書】
【提出日】令和2年8月17日(2020.8.17)
【手続補正１】
【補正対象書類名】実用新案登録請求の範囲
【補正対象項目名】全文
【補正方法】変更
【補正の内容】
【実用新案登録請求の範囲】
【請求項１】
本考案は本体身生地部分［図１］▲１▼▲２▼［図２］▲１１▼▲１３▼部分  サブベルト部分［図４］▲３▼▲９▼を伸縮性のない素材で作り、［図２］▲５▼▲６▼▲１０▼を伸縮性のある素材で作ることにより伸び切ってしまうことを防ぎ、動滑車の原理［図４］を応用して、サブベルト▲３▼を半分の力で簡単に締め付ける事により［図２］▲１４▼▲９▼▲１０▼が引っ張られ姿勢が矯正されるベルトを提案する。
【手続補正２】
【補正対象書類名】明細書
【補正対象項目名】全文
【補正方法】変更
【補正の内容】
【考案の詳細な説明】
【考案の詳細な説明】
【技術分野】
【０００１】本考案は、骨盤矯正、ウエスト及び姿勢矯正に寄与するベルトの応用に関するものである。
本考案のベルトで積極的に美容や健康商品として利用する為に考案したものである。
【在来の技術】
【０００２】現在、ほとんどの女性及び一部の男性も含めて、自分のスタイルには気を使い、スタイルや姿勢や骨盤矯正にこだわってかなりのお金を使っている人がいるのが事実である。しかしながら在来のベルトはコストを重視するために海外製のものが多く、ゴムの伸縮を利用して締め付けるため、ゴムの伸縮具合によって締め付け具合は変わり、自分にあった締め付け具合に調整するのは非常に困難であった。
さらに分厚いため、外出の時に着ていくのは難しく家庭内で着用するのが、普通であり常時着用するものではなかった。
【考案が解決しようとする課題】
【０００３】本考案は、今までは無かった新しい発想とデザインにより長時間付けていても苦しくなく簡単に締めたり緩めたり出来、伸縮せいのある素材と無い素材を組み合わせることで、適度な締め付け感と動滑車の原理［図４］を使うことにより半分の力で締め付けることが出来、毎日の生活の中で長時間着用できるようにする。
【課題を解決する為の手段】
【０００４】本考案は本体身生地部分［図１］▲１▼▲２▼［図２］▲１１▼▲１３▼部分  サブベルト部分［図４］▲３▼▲９▼を伸縮性のない素材で作り、［図２］▲５▼▲６▼▲１０▼を伸縮性のある素材で作ることにより伸び切ってしまうことを防ぎ、適度な締め付け感で着け心地が良く、動滑車の原理［図４］を応用して、サブベルト▲３▼を半分の力で簡単に締め付けることが出来る。
【考案の効果】
【０００５】１  デザイン的にもすっきりして、着用感も良くなり、スポーツなどの激しい動きにも対応する製品を供給できる。
２  動滑車の原理を取り入れることで高齢者や力のない人でも、半分の力で締め付けることが出来ます。
３  ［図１］［図２］［図３］のベルトタイプや［図４］［図５］のウエストニッパタイプなど、様々なデザインに出来、健康ベルト以外に補整下着にも応用することが出来る。
４  簡単に着脱できるため、トイレなどでの着脱の不便さが解消できる。
５  デザインや加工方法が容易であるから、大量生産ができるメリットがある。
６  動滑車の数を増やすことで、より少ない力で締め付ける事ができる。
【図面の簡単な説明】
【図１】本考案のベルト  正面図
【図２】本考案のベルト  背面図
【図３】本考案のベルト  ベルト図
【図４】本考案のベルト  下面図
【符号の説明】  ▲１▼    右前身生地
▲２▼    左前身生地
▲３▼    サブベルト
▲４▼    丸カン
▲５▼    前脇布
▲６▼    後下中心生地
▲７▼    後中心生地
▲８▼    後上布
▲９▼    胸部ベルト
▲１０▼  肩部ベルト
▲１１▼  後脇布
▲１２▼  ベルト通し
▲１３▼  後下中心押さえ布
▲１４▼  サブベルトクロス部分
【手続補正３】
【補正対象書類名】図面
【補正対象項目名】全図
【補正方法】変更
【補正の内容】
【図１】
0003231097.tif 000006
【図２】
0003231097.tif 000007
【図３】
0003231097.tif 000008
【図４】
0003231097.tif 000009
【手続補正書】
【提出日】令和2年12月10日(2020.12.10)
【手続補正１】
【補正対象書類名】実用新案登録請求の範囲
【補正対象項目名】全文
【補正方法】変更
【補正の内容】
【実用新案登録請求の範囲】
【請求項１】
本考案は本体身生地部分を伸縮性のない素材で作り、前脇布、後下中心生地、肩部ベルトを伸縮性のある素材で作ることにより伸び切ってしまうことを防ぎ、動滑車の原理を応用して、サブベルトを半分の力で簡単に締め付ける事により、胸部ベルト、肩部ベルト、サブベルトクロス部分が引っ張られ姿勢が良くなるる姿勢矯正ベルト。